(57)【要約】      （修正有）【課題】無線ＡＰ上における接続性の制御方法の提供。【解決手段】無線ＳＴＡがネットワーク接続のために無線ＡＰをスキャンする場合に用いられる無線ＡＰ上における接続性の制御方法において、前記無線ＳＴＡが紐付けリストとブラックリストに含まれているか否かを確認するステップと、前記確認の結果、前記無線ＳＴＡが紐付けリスト及びブラックリストに含まれていない場合に、無線ＡＰにおいて感知された前記無線ＳＴＡの信号状態と、紐付け無しのしきい値とを比較するステップと、前記比較の結果、前記無線ＡＰにおいて感知された前記無線ＳＴＡの信号状態が前記紐付け無しのしきい値よりも小さな場合に前記無線ＡＰに応答しないように制御してＳＳＩＤが視認されない効果を提供するステップと、を含んでなる無線ＡＰ上における接続性の制御方法に関する。【選択図】図４
2014064255.tif 000002
【特許請求の範囲】
【請求項１】
無線ＳＴＡ（Ｓｔａｔｉｏｎ）がネットワーク接続のための無線ＡＰ（Ａｃｃｅｓｓ  Ｐｏｉｎｔ）をスキャンする場合に用いられる無線ＡＰ上における接続性の制御方法において、
前記無線ＳＴＡが紐付けリスト（Ａｓｓｏｃｉａｔｅｄ  ＳＴＡ  ｌｉｓｔ）及びブラックリスト（Ｂｌａｃｋ  ＳＴＡ  Ｌｉｓｔ）に含まれているか否かを確認するステップと、
前記確認の結果、前記無線ＳＴＡが紐付けリスト及びブラックリストに含まれていない場合に、無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と未紐付けのしきい値（Ｔｈｒｅｓｈｏｌｄ  ｏｆ  Ｎｏｔ−Ａｓｓｏｃｉａｔｅｄ  ＳＴＡ）とを比較するステップと、
前記比較の結果、前記無線ＡＰにおいて感知された前記無線ＳＴＡの信号状態が前記未紐付けのしきい値よりも小さな場合に前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供するステップと、
を含んでなる無線ＡＰ上における接続性の制御方法。
【請求項２】
前記確認の結果、前記無線ＳＴＡが紐付けリスト（Ａｓｓｏｃｉａｔｅｄ  ＳＴＡ  ｌｉｓｔ）に含まれている場合に、前記無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と紐付けされたＳＴＡのしきい値（紐付けしきい値、Ｔｈｒｅｓｈｏｌｄ  ｏｆ  Ａｓｓｏｃｉａｔｅｄ  ＳＴＡ）とを比較し、前記比較の結果、前記無線ＡＰにおいて感知された前記無線ＳＴＡの信号状態が前記紐付けしきい値よりも小さな場合に、前記無線ＡＰとの接続を強制終了し、前記ブラックリストに追加して所定の時間の間に接続されないように制御するステップをさらに含んでなることを特徴とする請求項１に記載の無線ＡＰ上における接続性の制御方法。
【請求項３】
前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの紐付けのリンクレート（Ｌｉｎｋ  Ｒａｔｅ）と紐付けのリンクレートしきい値（Ｔｈｒｅｓｈｏｌｄ  ｏｆ  Ａｓｓｏｃｉａｔｅｄ  Ｌｉｎｋ  Ｒａｔｅ）とを比較し、前記比較の結果、前記無線ＳＴＡの紐付けのリンクレートが前記紐付けのリンクレートしきい値よりも小さな場合に、前記無線ＡＰとの接続を強制終了し、前記ブラックリストに追加して所定の時間の間に接続がなされないように制御するステップをさらに含んでなることを特徴とする請求項１に記載の無線ＡＰ上における接続性の制御方法。
【請求項４】
前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの再転送回数（ＲｅＴｒａｎｓｍｉｓｓｉｏｎ  Ｃｏｕｎｔ；ＲＣ）と最大の再転送回数（ＲＣｍａｘ）とを比較し、前記比較の結果、前記無線ＳＴＡの再転送回数（ＲＣ）が前記最大再転送回数（ＲＣｍａｘ）以上である場合に、前記無線ＡＰとの接続を強制終了し、前記ブラックリストに追加して所定の時間の間に接続がなされないように制御するステップをさらに含んでなることを特徴とする請求項１に記載の無線ＡＰ上における接続性の制御方法。
【請求項５】
前記確認の結果、前記無線ＳＴＡが紐付けリストに含まれておらず、且つ、ブラックリストには含まれている場合に、現在の時間と前記無線ＳＴＡがブラックリストに含まれた時間との間の差分値をブラックリスト最大許容時間と比較し、前記比較の結果、前記差分値が前記ブラックリスト最大許容時間よりも小さな場合に、前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供するステップをさらに含んでなることを特徴とする請求項１に記載の無線ＡＰ上における接続性の制御方法。
【発明の詳細な説明】
【技術分野】
【０００１】
本発明は、無線ＡＰ（Ａｃｃｅｓｓ  Ｐｏｉｎｔ）上における接続性の制御方法に係り、さらに詳しくは、無線ＳＴＡ（Ｓｔａｔｉｏｎ）が無線ＡＰへの接続を試みるときや両者間においてデータを授受するときに、無線区間の混雑度及び干渉度に応じて、無線ＡＰ上においてそれぞれの無線ＳＴＡとの接続を制御・管理する無線ＡＰ上における接続性の制御方法に関する。
【背景技術】
【０００２】
一般に、無線ＬＡＮは、特定の位置や有線の制約を補完するために講じられた技術であり、配線作業及びメンテナンスにかかるコストを最小化するために広く用いられており、ＩＥＥＥのＬＡＮ標準委員会（ＩＥＥＥ８０２）の１１番目のウォーキンググループにおいて定義された標準技術である。
【０００３】
無線ＡＰは、無線ＳＴＡをネットワークに接続する役割を果たす装備であり、無線ＡＰの周辺に位置している無線ＳＴＡを無線ＡＰに接続されたネットワーク回線を介してバックボーンやＷＡＮ網に接続する。
【０００４】
それぞれの無線ＡＰには固有のサービスセット識別子（ＳＳＩＤ）及び基本サービスセット識別子（ＢＳＳＩＤ）が与えたれていて無線ＳＴＡを特定の無線ＡＰに接続し、閉鎖されていない広い空間（例えば、事務室、喫茶店、地下鉄駅、大学キャンパス、建物の外部など）に主として設けられる。
【０００５】
一方、無線ＳＴＡが無線ＡＰに接続されるためには、無線ＡＰの存否を感知するためのスキャニング過程が優先的に必要であり、スキャニングの方式としては、受動型スキャン（Ｐａｓｓｉｖｅ  Ｓｃａｎ）と能動型スキャン（Ａｃｔｉｖｅ  Ｓｃａｎ）の２種類の方式がある。現在の無線ＳＴＡは、主として能動型スキャン方式を用いている。
【０００６】
受動型スキャンは、無線ＡＰがブロードキャストするビーコン情報を受信して接続可能な無線ＡＰを見出すような方式であり、能動型スキャンは、無線ＳＴＡがプローブリクエストをブロードキャストし、これに対する応答（プローブレスポンス）を用いて接続可能な無線ＡＰのＳＳＩＤを見出すような方式である。
【０００７】
そして、無線ＳＴＡは、感知された無線ＡＰとの認証及び紐付けの手続きを経て接続が行われる。接続後にデータの転送が可能になり、認証解除及び紐付け解除の手続きを経て接続が解除される。
【０００８】
一方、無線ＬＡＮは無線を用いることから、周辺無線ＡＰ、設置場所の周辺環境、無線ＳＴＡの位置に応じてエッジ効果（Ｅｄｇｅ  Ｅｆｆｅｃｔ）、シャドー効果（Ｓｈａｄｏｗ  Ｅｆｆｅｃｔ）などの様々な無線干渉が発生する。エッジ効果は、設置された無線ＡＰのビーコン領域とデータ転送領域との間の差分によって発生し、シャドー効果は、扉や壁などの障害物による伝搬の遅延によって発生する。
【０００９】
これらの無線ＡＰと無線ＳＴＡとの間に発生可能な状態を、ＳＳＩＤ視認、接続、データ転送に応じて、図１に示すように、５種類に分類することができる。ケース１及びケース５は正常の状態であり、ケース１は接続がなされてデータ転送が円滑に行われる正常の状態であり、そしてケース５は無線ＳＴＡが無線ＡＰを感知できない正常の状態である。
【００１０】
特に、本発明と関連して注目すべきケースが、ケース２、３、４である。
【００１１】
ケース２は、無線ＡＰと無線ＳＴＡとの間の距離がやや遠いときや、障害物による伝搬の遅延、周辺ＡＰや同じ周波数領域の干渉が起きたときに発生し、データの転送速度が非常に低いため無線ＳＴＡのユーザーが不満を抱く虞がある。
【００１２】
ケース３及びケース４も、ケース２と同じ条件下で発生するが、ケース４は無線ＳＴＡがビーコン可能領域からデータ転送可能領域へと移動するときに、ケース３はデータ転送可能領域からビーコン可能領域へと移動するときに頻繁に発生する（図２参照）。ケース２、ケース３、ケース４はいずれも無線ＳＴＡのユーザーが不満を抱く虞があるが、特に、ケース３は、接続はなされているものの、データが転送されないため、ユーザーの不満が最大となる。
【発明の概要】
【発明が解決しようとする課題】
【００１３】
本発明は上記の問題点を解消するために案出されたものであり、無線ＡＰと無線ＳＴＡとの間の信号の強さ、ノイズ、接続状態、データ転送誤りの回数などの情報を活用して、無線ＳＴＡにおいて起こり得る、１）ＳＳＩＤが視認可能であるものの、接続不能になる場合、２）接続は可能であるものの、データが転送不能になる場合、３）データの転送が円滑に行われない場合を無線ＡＰ上において前もって感知・制御することにより、これらの発生を極力抑えることのできる無線ＡＰ上における接続性の制御方法を提供するところにその目的がある。
【課題を解決するための手段】
【００１４】
上記の目的を達成するための本発明に係る無線ＡＰ上における接続性の制御方法は、無線ＳＴＡ（Ｓｔａｔｉｏｎ）がネットワーク接続のための無線ＡＰ（Ａｃｃｅｓｓ  Ｐｏｉｎｔ）をスキャンする場合に用いられる無線ＡＰ上における接続性の制御方法において、前記無線ＳＴＡが紐付けリスト（Ａｓｓｏｃｉａｔｅｄ  ＳＴＡ  ｌｉｓｔ）及びブラックリスト（Ｂｌａｃｋ  ＳＴＡ  Ｌｉｓｔ）に含まれているか否かを確認するステップと、前記確認の結果、前記無線ＳＴＡが紐付けリスト及びブラックリストに含まれていない場合に、無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と未紐付けのしきい値（Ｔｈｒｅｓｈｏｌｄ  ｏｆ  Ｎｏｔ−Ａｓｓｏｃｉａｔｅｄ  ＳＴＡ）とを比較するステップと、前記比較の結果、前記無線ＡＰにおいて感知された前記無線ＳＴＡの信号状態が前記未紐付けのしきい値よりも小さい場合に前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供するステップと、を含んでなることを特徴とする。
【００１５】
好ましくは、前記確認の結果、前記無線ＳＴＡが紐付けリスト（Ａｓｓｏｃｉａｔｅｄ  ＳＴＡ  ｌｉｓｔ）に含まれている場合に、前記無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と紐付けされたＳＴＡのしきい値（紐付けしきい値、Ｔｈｒｅｓｈｏｌｄ  ｏｆ  Ａｓｓｏｃｉａｔｅｄ  ＳＴＡ）とを比較し、前記比較の結果、前記無線ＡＰにおいて感知された前記無線ＳＴＡの信号状態が前記紐付けしきい値よりも小さい場合に、前記無線ＡＰとの接続を強制終了し、前記ブラックリストに追加して所定の時間の間に接続されないように制御するステップをさらに含んでなることを特徴とする。
【００１６】
また、前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの紐付けのリンクレート（Ｌｉｎｋ  Ｒａｔｅ）と紐付けのリンクレートしきい値（Ｔｈｒｅｓｈｏｌｄ  ｏｆ  Ａｓｓｏｃｉａｔｅｄ  Ｌｉｎｋ  Ｒａｔｅ）とを比較し、前記比較の結果、前記無線ＳＴＡの紐付けのリンクレートが前記紐付けのリンクレートしきい値よりも小さい場合に、前記無線ＡＰとの接続を強制終了し、前記ブラックリストに追加して所定の時間の間に接続がなされないように制御するステップをさらに含んでなることを特徴とする。
【００１７】
好ましくは、前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの再転送回数（ＲｅＴｒａｎｓｍｉｓｓｉｏｎ  Ｃｏｕｎｔ；ＲＣ）と最大の再転送回数（ＲＣｍａｘ）とを比較し、前記比較の結果、前記無線ＳＴＡの再転送回数（ＲＣ）が前記最大再転送回数（ＲＣｍａｘ）以上である場合に、前記無線ＡＰとの接続を強制終了し、前記ブラックリストに追加して所定の時間の間に接続がなされないように制御するステップをさらに含んでなることを特徴とする。
【００１８】
さらに、前記確認の結果、前記無線ＳＴＡが紐付けリストに含まれておらず、且つ、ブラックリストには含まれている場合に、現在の時間と前記無線ＳＴＡがブラックリストに含まれた時間との間の差分値をブラックリスト最大許容時間と比較し、前記比較の結果、前記差分値が前記ブラックリスト最大許容時間よりも小さい場合に、前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供するステップをさらに含んでなることを特徴とする。
【発明の効果】
【００１９】
本発明は、無線ＳＴＡが接続不可能な無線ＡＰのＳＳＩＤを視認できないようにして、無線ＡＰに自動的に接続される場合、または、接続を試みる場合を最小化することができる。
【００２０】
そして、本発明は、無線ＡＰが無線ＡＰに接続されたものの、データが転送不可能な場合に強制的に接続を解除することにより、多数の無線接続方式に対応可能な端末が他の無線ネットワーク（無線ＬＡＮ、３Ｇ、４ＧＬＴＥなど）を介してデータを転送することができる。
【図面の簡単な説明】
【００２１】
【図１】従来のＳＳＩＤ視認、接続、データ転送によって無線ＡＰと無線ＳＴＡとの間に発生可能な場合を示す図。
【図２】従来のＳＳＩＤ視認、接続、データ転送によって無線ＡＰと無線ＳＴＡとの間に発生可能な場合を図式化した図。
【図３】本発明に係る無線ＡＰ上における接続性の制御装置を示すブロック構成図。
【図４】本発明に係る無線ＡＰ上における接続性の制御方法を手順に従って示すフローチャート。
【発明を実施するための形態】
【００２２】
以下、添付図面に基づき、本発明について説明する。
【００２３】
ただし、後述する実施の形態は、本発明が属する技術分野において通常の知識を有する者が発明を容易に実施できる程度に詳細に説明するためのものに過ぎず、これによって本発明の保護範囲が何ら限定されないということはいうまでもない。
【００２４】
本発明を明確に説明するために、本発明とは無関係な部分の説明は省略し、明細書の全体を通して類似する部分に対しては類似する図面符号を付している。
【００２５】
明細書及び請求範囲の全体において、ある部分がある構成要素を含んでいるとしたとき、これは、特に断りのない限り、他の構成要素を除外するものではなく、他の構成要素を含む場合があるということを意味する。
【００２６】
図３は、本発明に係る無線ＡＰ上における接続性の制御装置を示す図である。
【００２７】
図３に示すように、この装置は、無線ＳＴＡ（Ｓｔａｔｉｏｎ）がネットワーク接続のために無線ＡＰ（Ａｃｃｅｓｓ  Ｐｏｉｎｔ）をスキャンする場合に用いられる無線ＡＰ上における接続性の制御装置において、無線ＳＴＡ確認モジュール１０１と、第１の比較モジュール１０２と、第２の比較モジュール１０３と、第１の制御部１０４と、第３の比較モジュール１０５と、第４の比較モジュール１０６と、第５の比較モジュール１０７と、第２の制御部１０８と、を備えてなる。
【００２８】
ここで、無線ＳＴＡ確認モジュール１０１は、紐付けリスト（Ａｓｓｏｃｉａｔｅｄ  ＳＴＡ  ｌｉｓｔ）とブラックリスト（Ｂｌａｃｋ  ＳＴＡ  Ｌｉｓｔ）が構成された場合に、ネットワーク接続のために無線ＡＰ（Ａｃｃｅｓｓ  Ｐｏｉｎｔ）をスキャンする所定の無線ＳＴＡが前記構成された紐付けリストとブラックリストに含まれているか否かを確認するものである。
【００２９】
第１の比較モジュール１０２は、無線ＳＴＡ確認モジュール１０１による確認の結果、前記無線ＳＴＡが紐付けリスト及びブラックリストに含まれていない場合に、無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と未紐付けのしきい値（Ｔｈｒｅｓｈｏｌｄ  ｏｆ  Ｎｏｔ−Ａｓｓｏｃｉａｔｅｄ  ＳＴＡ）とを比較するものである。
【００３０】
第２の比較モジュール１０３は、無線ＳＴＡ確認モジュール１０１による確認の結果、前記無線ＳＴＡが紐付けリストには含まれておらず、且つ、ブラックリストに含まれている場合に、現在の時間と前記無線ＳＴＡがブラックリストに含まれた時間との間の差分値をブラックリスト最大許容時間と比較するものである。
【００３１】
第１の制御部１０４は、前記第１の比較モジュール１０２による比較の結果、前記無線ＡＰにおいて感知された前記無線ＳＴＡの信号状態が前記未紐付けのしきい値よりも小さい場合に前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供する。または、前記第２の比較モジュール１０３による比較の結果、前記差分値（すなわち、現在の時間と前記無線ＳＴＡがブラックリストが含まれた時間との間の差分値）が前記ブラックリスト最大許容時間よりも小さい場合に前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供することとなる。
【００３２】
第３の比較モジュール１０５は、無線ＳＴＡ確認モジュール１０１による確認の結果、前記無線ＳＴＡが紐付けリスト（Ａｓｓｏｃｉａｔｅｄ  ＳＴＡ  ｌｉｓｔ）に含まれている場合に、前記無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と紐付けされたＳＴＡのしきい値（紐付けしきい値、Ｔｈｒｅｓｈｏｌｄ  ｏｆ  Ａｓｓｏｃｉａｔｅｄ  ＳＴＡ）とを比較するものである。
【００３３】
第４の比較モジュール１０６は、無線ＳＴＡ確認モジュール１０１による確認の結果、前記無線ＳＴＡが紐付けリスト（Ａｓｓｏｃｉａｔｅｄ  ＳＴＡ  ｌｉｓｔ）に含まれている場合に、前記無線ＳＴＡの紐付けのリンクレート（Ｌｉｎｋ  Ｒａｔｅ）と紐付けのリンクレートしきい値（Ｔｈｒｅｓｈｏｌｄ  ｏｆ  Ａｓｓｏｃｉａｔｅｄ  Ｌｉｎｋ  Ｒａｔｅ）とを比較するものである。
【００３４】
第５の比較モジュール１０７は、無線ＳＴＡ確認モジュール１０１による確認の結果、前記無線ＳＴＡが紐付けリスト（Ａｓｓｏｃｉａｔｅｄ  ＳＴＡ  ｌｉｓｔ）に含まれている場合に、前記無線ＳＴＡの再転送回数（ＲｅＴｒａｎｓｍｉｓｓｉｏｎ  Ｃｏｕｎｔ；ＲＣ）と最大再転送回数（ＲＣｍａｘ）とを比較するものである。
【００３５】
第２の制御部１０８は、前記第３の比較モジュール１０５による比較の結果、前記無線ＡＰにおいて感知された前記無線ＳＴＡの信号状態が前記紐付けしきい値よりも小さい場合に、前記無線ＡＰとの接続を強制終了し、前記ブラックリストに追加して所定の時間の間に接続されないように制御するものである。または、前記第４の比較モジュール１０６による比較の結果、前記無線ＳＴＡの紐付けのリンクレートが前記紐付けのリンクレートしきい値よりも小さい場合、前記無線ＡＰとの接続を強制終了し、前記ブラックリストに追加して所定の時間の間に接続されないように制御するものである。加えて、前記第５の比較モジュール１０７による比較の結果、前記無線ＳＴＡの再転送回数（ＲＣ）が前記最大再転送回数（ＲＣｍａｘ）以上である場合に、前記無線ＡＰとの接続を強制終了し、前記ブラックリストに追加して所定の時間の間に接続されないように制御することとなる。
【００３６】
以下、図３に示す本発明に係る無線ＡＰ上における接続性の制御装置の動作について添付の図４に基づいて説明する。
【００３７】
図４は、本発明に係る無線ＡＰ上における接続性の制御方法を手順に従って示す図である。
【００３８】
図４に示すように、本発明は、まず、無線ＳＴＡ（Ｓｔａｔｉｏｎ）がネットワーク接続のために無線ＡＰ（Ａｃｃｅｓｓ  Ｐｏｉｎｔ）をスキャンする場合に用いられる無線ＡＰ上における接続性の制御方法において、前記無線ＳＴＡが、紐付けリスト（Ａｓｓｏｃｉａｔｅｄ  ＳＴＡ  ｌｉｓｔ）に含まれているか否か（Ｓ４０１）及びブラックリスト（Ｂｌａｃｋ  ＳＴＡ  Ｌｉｓｔ）に含まれているか否かを確認する（Ｓ４０２）。
【００３９】
次いで、前記確認の結果、前記無線ＳＴＡが紐付けリスト及びブラックリストに含まれていない場合に、無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と未紐付けのしきい値（Ｔｈｒｅｓｈｏｌｄ  ｏｆ  Ｎｏｔ−Ａｓｓｏｃｉａｔｅｄ  ＳＴＡ）とを比較する（Ｓ４０３）。
【００４０】
次いで、前記比較の結果、前記無線ＡＰにおいて感知された前記無線ＳＴＡの信号状態が前記未紐付けのしきい値よりも小さい場合に、前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供することとなる（Ｓ４０４）。
【００４１】
一方、前記確認の結果、前記無線ＳＴＡが紐付けリスト（Ａｓｓｏｃｉａｔｅｄ  ＳＴＡ  ｌｉｓｔ）に含まれている場合に、前記無線ＡＰにおいて感知された前記無線ＳＴＡの信号状態（ＳＴＡ’ｓ  Ｓｉｇｎａｌ  Ｃｏｎｄｉｔｉｏｎ  Ｓｅｎｓｅｄ  ａｔ  ＡＰ）と紐付けされたＳＴＡのしきい値（紐付けしきい値、Ｔｈｒｅｓｈｏｌｄ  ｏｆ  Ａｓｓｏｃｉａｔｅｄ  ＳＴＡ）とを比較する（ステップＳ４０５）。
【００４２】
次いで、前記比較の結果、前記無線ＡＰにおいて感知された前記無線ＳＴＡの信号状態が前記紐付けしきい値よりも小さい場合に、前記無線ＡＰとの接続を強制終了し、前記ブラックリストに追加して所定の時間の間に接続されないように制御する（Ｓ４０６）。
【００４３】
あるいは、前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの紐付けのリンクレート（Ｌｉｎｋ  Ｒａｔｅ）と紐付けのリンクレートしきい値（Ｔｈｒｅｓｈｏｌｄ  ｏｆ  Ａｓｓｏｃｉａｔｅｄ  Ｌｉｎｋ  Ｒａｔｅ）とを比較し、前記比較の結果、前記無線ＳＴＡの紐付けのリンクレートが前記紐付けのリンクレートしきい値よりも小さな場合に（Ｓ４０５）、前記無線ＡＰとの接続を強制終了し、前記ブラックリストに追加して（Ｓ４０６）所定の時間の間に接続されないように制御することとなる。
【００４４】
加えて、前記確認の結果、前記無線ＳＴＡが紐付けリスト（Ａｓｓｏｃｉａｔｅｄ  ＳＴＡ  ｌｉｓｔ）に含まれている場合に、前記無線ＳＴＡの再転送回数（ＲｅＴｒａｎｓｍｉｓｓｉｏｎ  Ｃｏｕｎｔ；ＲＣ）と最大再転送回数（ＲＣｍａｘ）とを比較し、前記比較の結果、前記無線ＳＴＡの再転送回数（ＲＣ）が前記最大再転送回数（ＲＣｍａｘ）以上である場合に（Ｓ４０５）、前記無線ＡＰとの接続を強制終了し、前記ブラックリストに追加して（ステップＳ４０６）所定の時間の間に接続されないように制御してもよい。
【００４５】
一方、前記確認の結果、前記無線ＳＴＡが紐付けリストに含まれておらず、且つ、ブラックリストには含まれている場合には、現在の時間と前記無線ＳＴＡがブラックリストに含まれた時間との間の差分値をブラックリスト最大許容時間と比較し、前記比較の結果、前記差分値が前記ブラックリスト最大許容時間よりも小さい場合に（Ｓ４０７）、前記無線ＡＰに応答しないように制御してＳＳＩＤ（Ｓｅｒｖｉｃｅ  Ｓｅｔ  Ｉｄｅｎｔｉｆｉｅｒ）が視認されないような効果を提供することとなる（Ｓ４０４）。
【符号の説明】
【００４６】
１０１  無線ＳＴＡ確認モジュール
１０２  第１の比較モジュール
１０３  第２の比較モジュール
１０４  第１の制御部
１０５  第３の比較モジュール
１０６  第４の比較モジュール
１０７  第５の比較モジュール
１０８  第２の制御部
【図１】
2014064255.tif 000003
【図２】
2014064255.tif 000004
【図３】
2014064255.tif 000005
【図４】
2014064255.tif 000006